(57)【要約】アイロン（１）を含むアイロン掛け家電装置であって、アイロン（１）が本体（１１）を載せた平坦な掛け面を有するソール（１０）と、ソール（１０）に対して片持ちに配置された把持ハンドル（１２）と、ハンドル（１２）に設けられた開口部（１５）を通してアイロン（１）から引き出される電源コード（３）とを備え、ハンドル（１２）が本体（１１）とつながる前端部と自由後端部とを有する家電装置において、開口部はハンドル（１２）の上面に設けられることを特徴とする家電装置。
2018514344.tif 000002
【特許請求の範囲】
【請求項１】
アイロン（１）を含むアイロン掛け家電装置であって、前記アイロン（１）が本体（１１）を載せた平坦な掛け面を有するソール（１０）と、前記ソール（１０）に対して片持ちに配置された把持ハンドル（１２）と、前記ハンドル（１２）に設けられた開口部（１５）を通して前記アイロン（１）から引き出される電源コード（３）とを備え、前記ハンドル（１２）が前記本体（１１）とつながる前端部と自由後端部とを有する家電装置において、前記開口部は前記ハンドル（１２）の上面に設けられることを特徴とする家電装置。
【請求項２】
前記開口部（１５）は前記ハンドル（１２）の前記後端部付近、好ましくは前記後端部から３ｃｍ以内に配置されることを特徴とする請求項１に記載の家電装置。
【請求項３】
前記アイロン（１）は、前記ハンドル（１２）からの引出口で前記コード（３）を好ましい向きに保持するコード案内部品（４）を前記開口部（１５）レベルに備えることを特徴とする請求項１または２に記載の家電装置。
【請求項４】
前記コード案内部品（４）によって強制される向きは、前記掛け面を下にして前記アイロン（１）を平らに置いたときに前記コード（３）が正の傾斜をなす方向に延びて前記開口部（１５）から引き出されるようになるものであることを特徴とする請求項３に記載の家電装置。
【請求項５】
前記コード（３）は、前記コード案内部品のレベルで、前記掛け面を下にして前記アイロン（１）を平らに置いたときに水平に対して２０°から７０°の間、好ましくは約４５°の傾きを持つことを特徴とする請求項４に記載の家電装置。
【請求項６】
前記コード（３）は前記アイロン（１）の後方に傾斜していることを特徴とする請求項５に記載の家電装置。
【請求項７】
前記ハンドル（１２）の前記後端部は斜めに切り取られ、前記ハンドル（１２）は前記ソール（１０）の前記掛け面の平面との間に鈍角αをなす傾斜した平坦な後部表面を有することを特徴とする請求項１乃至６のいずれか一項に記載の家電装置。
【請求項８】
前記コード（３）は電気ケーブルおよび／または流体を運ぶための管を内蔵することを特徴とする請求項１乃至７のいずれか一項に記載の家電装置。
【請求項９】
前記コード（３）は前記アイロンをベース（２）とつなぐことを特徴とする請求項１乃至８のいずれか一項に記載の家電装置。
【請求項１０】
前記ベース（２）は前記アイロン（１）を休止位置に置くための置き場（２４）を有しており、その位置で前記アイロン（１）の前記ソール（１０）は前記置き場（２４）に載置され、さらにその位置で前記ハンドル（１２）の前記後端部は前記ベース（２）に支えられ、前記ベース（２）は前記アイロン（１）をそのハンドル（１２）で握持するために手の指を通すことができるだけの空間が前記ハンドル（１２）の裏側に生まれるような形状を有することを特徴とする請求項９に記載の家電装置。
【請求項１１】
前記置き場（２４）は凹形状をなすことを特徴とする請求項１０に記載の家電装置。
【請求項１２】
前記ベース（２）は、前記ベース（２）に対する前記アイロン（１）の係止手段であって、前記ハンドル（１２）の前記後端部と協働するようにした固定ブロック要素（２７）と、前記ハンドル（１２）の反対側に位置する前記本体（１１）の一部に押しつけられるようにした可動ブロック要素（２８）であって、前記アイロン（１）を前記ベース（２）から取り出すことができる引込み位置と、前記アイロン（１）が前記置き場（２４）に係止される係止位置との間で回転可動なブロック要素とからなる係止手段を備えることを特徴とする請求項１０または１１に記載の家電装置。
【請求項１３】
前記固定ブロック要素は、前記ハンドル（１２）の前記後端部がその下に係合するようにした横材（２７）からなることを特徴とする請求項１２に記載の家電装置。
【請求項１４】
前記ソール（１０）は１５ｃｍ未満の長さと１０ｃｍ未満の幅を有することを特徴とする請求項１乃至１３のいずれか一項に記載の家電装置。
【発明の詳細な説明】
【技術分野】
【０００１】
本発明は、本体を載せた平坦な掛け面を有するソールと、ソールに対して片持ちに配置された把持ハンドルとを備えるアイロン掛け家電装置に関し、より詳細には、ハンドルに設けられた開口部を通して電源コードがアイロンから引き出される装置に関する。
【背景技術】
【０００２】
特許文献１により、発熱ソールを備えるアイロンと、電源コードによってアイロンとつながれたベースとを備えるアイロン掛け装置であって、アイロンはソールに対して片持ちで配置された把持ハンドルを備える装置が知られている。この文献では、コードはハンドルの裏側のハンドルの後端部付近に設けられた開口部を通してアイロンから引き出されて、ハンドルからの引出口でコードが下方に延びるようにされている。そのため、重力の作用でコードがアイロン台の縁とこすれ、アイロンの移動時に洗濯物にしわが寄る危険が大きい。さらに、アイロン台に直接置いたとき、アイロンはコードの重みによって下向きの引張力を受けるために不安定で、その引張力によってアイロンはソールの後縁の周りに傾動し、さらにアイロン台の縁まで引っ張られることになりがちで、アイロンがアイロン台から落下して破損する危険が大きいという不都合もある。
【先行技術文献】
【特許文献】
【０００３】
【特許文献１】仏国特許出願公開第２９２９２９８号明細書
【特許文献２】仏国特許出願公開第１４５２４６９号明細書
【発明の概要】
【発明が解決しようとする課題】
【０００４】
そのため、本発明の目的の１つは、片持ちハンドルを具備したアイロンをコードがさほど邪魔にならずに利用することができ、さらにアイロン台に安定して置くことができる人間工学的に改善されたアイロン掛け装置を提案することによってそれらの不都合を是正することにある。
【課題を解決するための手段】
【０００５】
そこで、本発明は、アイロンを含むアイロン掛け家電装置であって、アイロンが本体を載せた平坦な掛け面を有するソールと、本体につながる前端部を有する把持ハンドルと、ハンドルに設けられた開口部を通してアイロンから引き出される電源コードとを備え、ハンドルがソールに対して片持ちに配置されて自由後端部を有する家電装置において、開口部はハンドルの上面に設けられることを特徴とする家電装置を対象とする。
【０００６】
上面とは、ハンドルの上半分にあるハンドルのすべての表面をいう。
【０００７】
このような装置は、コードが上方に引き出されることにより、コードがアイロンの近くで洗濯物とこすれるのを防ぐことができるため、非常に優れた人間工学的な使い勝手を提供するという利点を有する。さらに、コードが上方に引き出されることで、コードがハンドルの裏側でからむことも防ぐことができ、それによってハンドルの後端部をアイロン台に直接置くことが可能となってアイロンをアイロン台の上に置いたときに安定した支えを得ることができるとともに、コードの重みによってかかる引張力の作用を受けてアイロンがソールの後縁の周りに傾動することもできる。
【０００８】
本発明の別の特徴によれば、ソールの平面に対してハンドルの正射影をとったとき、ハンドルの長手方向にハンドルの少なくとも４分の３はソールよりも外に張り出す。
【０００９】
本発明の装置の別の特徴によれば、アイロンは、アイロンのソールが水平面上で平らにされたとき、コードの重みによる引張力の作用を受けてソールの後縁の周りに自動的に傾動する。
【００１０】
本発明による装置の別の特徴によれば、開口部はハンドルの後端部付近、好ましくは後端部から３ｃｍ以内に配置される。
【００１１】
このような特徴は、ユーザの手全体でつかむことのできるハンドルの有効表面を最適化することができる。
【００１２】
本発明の別の特徴によれば、ハンドルに対して横断方向の断面による断面図で見たとき、開口部はハンドルの頂部に設けられる。
【００１３】
このようなハンドル頂部の開口部は、アイロンの長手方向軸上にコードの引出口を設けることで、左利きにも右利きにも同じ人間工学的な使い勝手を提供することが可能である。
【００１４】
本発明のさらに別の実施形態によれば、アイロンは、ハンドルからの引出口でコードを好ましい向きに保持するコード案内部品を開口部レベルに備える。
【００１５】
本発明の別の実施形態によれば、コード案内部品によって強制される向きは、掛け面を下にしてアイロンを平らに置いたときにコードが正の傾斜をなす方向に延びて開口部から引き出されるようになるものである。
【００１６】
このような技巧的特徴はハンドルからの引出口でコードを上方向に保持することを可能にするもので、それによってコードがその自重によって垂れ下がってくる位置をアイロンからできるだけ遠ざけることができ、それによってアイロン掛け作業時にコードが洗濯物に触れるのを防ぐことができる。
【００１７】
本発明の別の特徴によれば、コードは、コード案内部品のレベルで、掛け面を下にしてアイロンを平らに置いたときに水平に対して２０°から７０°の間、好ましくは約４５°の傾きを持つ。
【００１８】
このようなコードの傾きはコードが垂れ下がってくる位置とアイロンとの距離を最適化することを可能にする。
【００１９】
本発明の別の特徴によれば、コード案内部品はエラストマー製の補強シースを備える。
【００２０】
このようなコード案内部品はその実現が単純かつ経済的であるという利点を有する。
【００２１】
本発明の別の特徴によれば、コードはアイロンの後方に傾斜している。
【００２２】
このような特徴は、コードがその自重によって垂れ下がってくる位置をアイロンのできるだけ後方に離すことができる。
【００２３】
本発明の別の特徴によれば、ハンドルの後端部は斜めに切り取られ、ハンドルはソールの掛け面の平面との間に鈍角αをなす傾斜した平坦な後部表面を有する。
【００２４】
このような特徴は、ソールの後端がアイロン台に支えられるようにしてアイロンがアイロン台に置かれたときのアイロンの安定性を最適化させるという利点を有する。
【００２５】
本発明の別の特徴によれば、コードは電気ケーブルおよび／または流体を運ぶための管を内蔵する。
【００２６】
本発明の別の特徴によれば、コードはアイロンをベースとつなぐ。
【００２７】
本発明の別の特徴によれば、ベースはアイロンを休止位置に置くための置き場を有しており、その位置でアイロンのソールは置き場に載置され、さらにその位置でハンドルの後端部はベースに支えられ、ベースはアイロンをそのハンドルで握持するために手の指を通すことができるだけの空間がハンドルの裏側に生まれるような形状を有する。
【００２８】
このような特徴は、アイロンをごく安全な状態で定置するための専用の置き場を具備したベースを備える装置を提案することで人間工学的な使い勝手を一段と高めるという利点を有する。
【００２９】
本発明の別の特徴によれば、置き場は凹形状をなす。
【００３０】
このような置き場には、アイロンを置き場に案内して自動的に正しく位置決めするのに役立つくぼんだ形を有するという利点がある。
【００３１】
本発明の別の特徴によれば、ベースは、ベースに対するアイロンの係止手段であって、ハンドルの後端部と協働するようにした固定ブロック要素と、ハンドルの反対側に位置する本体の一部に押しつけられるようにした可動ブロック要素であって、アイロンをベースから取り出すことができる引込み位置と、アイロンが置き場に係止される係止位置との間で回転可動なブロック要素とからなる係止手段を備える。
【００３２】
このようなブロック手段は、アイロンのハンドルをつかんで装置全体を運搬できるようにするための置き場へのアイロンの係止を可能にする。
【００３３】
本発明の別の特徴によれば、固定ブロック要素は、ハンドルの後端部がその下に係合するようにした横材からなる。
【００３４】
このような技巧的解決法は、アイロンを置き場に納める際にも、そこから取り出す際にも人間工学的な使い勝手のよさを提供しつつ、その実現が単純かつ経済的であるという利点を有する。
【００３５】
本発明の別の特徴によれば、ソールは尖った前端を有する。
【００３６】
本発明の別の特徴によれば、ソールは１５ｃｍ未満の長さと１０ｃｍ未満の幅を有する。
【００３７】
このような特徴は、ソールの小さめの寸法によってアイロン仕事の際にアイロンを非常に取り回しのよいものとすることができる。
【００３８】
本発明の目的、態様および利点については、添付の図面を参照しながら、非限定的な例として示す本発明の具体的実施形態に関する以下の説明によってよりよく理解されよう。
【図面の簡単な説明】
【００３９】
【図１】本発明の具体的実施形態によるアイロン掛け装置の斜視図であって、ブロックアーチを係止位置で示した斜視図である。
【図２】アイロンがベースから持ち上げられ、ブロックアーチが引込み位置にあるときの図１の装置の斜視図である。
【図３】アイロンを単独で示した斜視図である。
【図４】ソールを水平面に平らに置いた状態の図４のアイロンの側面図である。
【図５】ソールをその後縁の回りに倒した状態の図４のアイロンの側面図である。
【図６】図１の装置の側面図である。
【発明を実施するための形態】
【００４０】
本発明の理解に必要な要素のみを図示してある。図面を読み取りやすくするため、同じ要素には図面間で同じ符号を与えてある。
【００４１】
図１、図２および図６は、従来のように、アイロン１と、アイロン１にコード３でつながれた可搬型ベース２であって、電気ケーブル（図示せず）によって家庭用電源に電気的に接続されたベース２を備えるアイロン掛け装置を表している。
【００４２】
ベース２は、アイロン台のような水平な表面に平らに置くことが意図された下面２２と、取り外し可能なタンク２０と、図６に模式的に破線で示したポンプ２１であって、タンク２０内の水を汲み出してコード３に仕込まれたチューブを通してアイロン１に送り出すポンプ２１とを備える。
【００４３】
図３に示すとおり、アイロン１は本体１１を載せた平坦なソール１０を備え、さらにアイロン１は本体１１に取り付けられた前端部と本体１１から横に突き出た自由後端部とを有する把持ハンドル１２を備える。ハンドル１２はソール１０に対して片持ちとなるように設けられて有利には約１２ｃｍの長さを有し、本体１１およびハンドル１２は注型によって得られるプラスチック材料の一体部品として製作されることが好ましい。
【００４４】
本体１１には自明なように鋳造品（図示せず）が内蔵されており、その鋳造品は、ソール１０と熱的に接触する一方、ソール１０の温度を約１３５°Ｃの指令温度に維持することのできる調節不能なサーモスタットによって調整される発熱抵抗体を備える。
【００４５】
鋳造品は有利にはアルミニウム製であり、タンク２０を出た水がポンプ２１によってその中に噴射される瞬間蒸発室を備え、ポンプ２１の動作はハンドル１２の前端部の裏側に配設された引き金１３によって操作される。ポンプ２１および蒸発室は、有利には、引き金１３を引いたときに連続的に毎分約２５ｇの蒸気流量を発生させることができるように設計される。
【００４６】
蒸発室で発生した蒸気は、ソール１０の平坦な掛け面に設けられてＶ字形に配置された２つの溝に開口する蒸気出口穴１４から放出される。ソール１０は有利にはステンレス鋼製で、ハンドル１２とは反対側に配置された尖った前端１０Ａと、ソール１０が最も幅広となる部位である丸みを帯びた後端１０Ｂとを備える。
【００４７】
有利には、アイロン１はきわめて取り回しのよいものとなるように、ソール１０は１５ｃｍ未満、好ましくは約１４ｃｍの長さと、１０ｃｍ未満、好ましくは約８ｃｍの幅とを有する。
【００４８】
図４のとおり、コード３はハンドル１２の上面に設けられた開口部１５を通してアイロン１から引き出され、開口部１５は好ましくはハンドル１２の後端部からわずかに手前に、たとえば１〜２ｃｍ程度の距離に配置される。
【００４９】
開口部１５には、有利には、コード３を包み込み、好ましい方向Ｄに沿って開口部１５でコード３を保持するコード案内部品４が取り付けられる。
【００５０】
ここに図示した具体的実施形態では、コード案内部品は、ソール１０の掛け面を下にしてアイロン１を平らに置いたときに水平面Ｈに対して約４５°の角度βをなす方向Ｄに沿ってコード３をハンドル１２の後方に傾けて保持するエラストマー製の補強シース４からなる。
【００５１】
ハンドル１２の後端部は有利には切り取られた形状をなし、図５に示すようにソール１０の平面との間に約１４５°の鈍角αをなすＶ字形を形成する後部表面１２Ａを含む。
【００５２】
図２のとおり、ベース２の最上部には、アイロン掛け中断時やアイロン１を仕舞うときにアイロン１を休止位置でその上に置くことができる凹形の置き場２４がある。
【００５３】
この置き場２４は、Ｖ字形に配置された前方面２４Ａと後方面２４Ｂからなる底を持ち、前方面２４Ａはアイロン１のソール１０を受けることが意図された突起支承部２５を備え、後方面２４Ｂはハンドル１２の平坦な後部表面１２Ａを受けることが意図されており、その後部表面１２Ａはソール１０が前方面２４Ａに載せられたときに後方面２４Ｂに対して平らに載るように適合された傾きを持つ。
【００５４】
置き場２４は、後方面２４Ｂの後端の縁に、また後方面２４Ｂおよび前方面２４Ａの側辺沿いにも、高さ方向に延びる外周壁２４Ｃをさらに備える。この外周壁２４Ｃは置き場２４上でアイロン１のソール１０を横に案内し、アイロン１が置き場２４上で休止位置に置かれたときにハンドル１２の後端部が衝止される障害物をなす。
【００５５】
好ましくは、外周壁２４Ｃは、ベース２の後端レベルに後方面２４Ｂの上に延びるブロック横材２７を備えており、アイロン１が置き場２４上で休止位置に置かれるとハンドル１２の後端部がそのブロック横材２７の下に係合する。
【００５６】
図１および図２のとおり、ベース２の前端は有利には、前方面２４Ａの縁に枢動可能に取り付けられて置き場２４の前端付近に配置された三角形のブロックアーチ２８を備える。
【００５７】
アーチ２８は、図２に示すように、アーチ２８が置き場２４の縁で前方面２４Ａと平行に配置される引込み位置と、図１および図６に示すように、アーチ２８がソール１０の先端部の上で本体１１を押えつける係止位置との間で枢動することができる。
【００５８】
ベース２は、自明なように、引込み位置と係止位置との間の中間位置を通過するときに向きが反転する復帰トルクをアーチ２８に対して与える復帰手段（図示せず）を内蔵しており、復帰トルクは、アーチ２８が引込み位置の近くにあるときはアーチ２８を引込み位置に戻し、アーチ２８が係止位置の近くにあるときはアーチ２８を係止位置に戻す。このような復帰手段は、出願人によって出願された特許文献２にさらに詳しく示されている。
【００５９】
こうして製作されたアイロン掛け装置は、非常に優れた人間工学的な使い勝手をもたらすという利点を有する。
【００６０】
実際、コードがハンドルの上面から引き出され、なおかつ上方を向いていることで、アイロンの近くではコードを高く保持することができ、それによってコードが、特にアイロン台の縁にこすれるなどして、洗濯物と干渉し、洗濯物にしわが寄るのを防ぐことができる。
【００６１】
さらに、こうして製作されたアイロンは、本体の一方の側に片持ちで設けられてソールの動きを増幅することができるハンドルの存在と、ソールが小さめであることによって得られるアイロンの軽さとのおかげで非常に取り回しがよいという利点を有する。
【００６２】
このような装置は、アイロン掛けの中断時にユーザがアイロン台にアイロン１を直接置こうとした場合に安定性が向上し、それによって落下の危険の少ないアイロン１が得られるという利点もある。
【００６３】
実際、ハンドル１２の上面からコード３を引き出すことで空けられたハンドル１２の後端部は、コード３の重みによってかかる引張力の作用でアイロン１がソール１０の後縁の周りに傾動したときには、図５に示すようにアイロン台の水平面Ｈに直接載ることができる。また、ハンドル１２の後部表面１２Ａの傾きはハンドル１２が水平面Ｈにほぼ平らに載ることを可能にするものであり、傾きのわずかな差はアイロン台を覆うために通常使用されるメルトンがつぶれることによって埋め合わされる。
【００６４】
ユーザはアイロン掛けの中断時にアイロン１をベース２の置き場２４で休止位置に置くことを選択することもでき、その操作は、ハンドル１２の後端部を後方面２４Ｂに対してベース２の後方に滑らせてハンドル１２がブロック横材２７の下に係合して外周壁２４Ｃで衝止されるところまで持って行くという、きわめて人間工学にかなった形で果たされる。ユーザはそこでアイロン１を放すか、または手の動きを添えることで、アイロン１が自重で前方に枢動するように、そしてソール１０が前方面２４Ａの支承部の上に載るようにするだけでよい。
【００６５】
図１および図２に示すように、アイロン１がベース２上で休止位置にあるとき、アイロン１は安定的に定置されており、ハンドル１２の後端部レベルに支点が確保されるため、後方に転倒する危険はない。さらに、その際、ユーザが指を差し込んで手全体でハンドル１２を容易につかむことができる空間がハンドル１２の裏側に生まれる。
【００６６】
最後に、こうして製作された装置は、アイロン１をベース２に固定して、装置全体をアイロン１のハンドル１２で運ぶことができるという利点がある。
【００６７】
実際、アイロン１は、ブロックアーチ２８を図２に示すような引込み位置から図１に示すような係止位置まで傾動させてアーチ２８をアイロン１の本体１１に押しつけるようにすることによって、ベース２上で容易に休止位置に係止することができる。この係止位置では、アーチ２８の復帰手段がアイロン１をベース２の後方に押しやるように力を及ぼすことでブロック横材２７の下へのハンドル１２の係合によってアイロン１の後端が係止される一方で、アイロン１の前端がアーチ２８によって係止される。
【００６８】
本発明が、もっぱら例としてのみ掲げて説明し、図示した実施形態だけにいささかも限定されるものでないことは言うまでもない。様々な要素の構成という観点からの変更や、等価の技術による置換えによる変更などは、それによって本発明の保護対象領域から外れることなくなお可能である。
【００６９】
そのため、ここに示されていない変形実施形態では、ベースは、加圧蒸気を発生させるための容器を備え、コードにはアイロンに蒸気を運ぶための管が含まれるものであってよいだろう。
【００７０】
そのため、ここに示されていない変形実施形態では、装置はアイロンを置くためのベースを取り去ったものであることができよう。その変形実施形態では、ハンドルの後端部の後部表面は、有利には、アイロンがコードの引張力の作用でソールの後縁の周りに傾動したときに後部表面がアイロン台に完璧に平らに載るように適合された傾きを持つものとされよう。
【図１】
2018514344.tif 000003
【図２】
2018514344.tif 000004
【図３】
2018514344.tif 000005
【図４】
2018514344.tif 000006
【図５】
2018514344.tif 000007
【図６】
2018514344.tif 000008
【国際調査報告】
2018514344.tif 000009
2018514344.tif 000010
2018514344.tif 000011
2018514344.tif 000012